(57)【要約】      （修正有）【課題】電極を取り替える度に校正或は補正値の設定をする必要がなく、用途別の電極を自由に使い分けることのできるメモリー付き電極を備えた計測装置を提供する。【解決手段】装置本体２０と、この装置本体２０に対して着脱自在とされた測定電極１０とを備えた計測装置１において、測定電極１０内に、又は、この測定電極１０を装置本体２０に対して接続するためのケーブル１２或はコネクタ１３内に、測定電極１０に関する情報を記憶するための記憶手段１５を設け、記憶手段１５に、測定電極１０使用開始時にその使用有効期限を、装置本体２０の書き込み機能を使用して記憶させ、測定電極１０を使用するときに、測定電極１０の記憶手段１５に記憶された使用有効期限と装置本体２０の時計とを比較し、使用有効期限が近づいている場合若しくは使用有効期限を過ぎている場合にその旨を表示するか、又は測定電極１０の使用を停止する構成とする。【選択図】図１
2006349679.tif 000002
【特許請求の範囲】
【請求項１】
装置本体と、この装置本体に対して着脱自在とされた測定電極とを備えた計測装置において、
前記測定電極内に、又は、この測定電極を前記装置本体に対して接続するためのケーブル或はコネクタ内に、測定電極に関する情報を記憶するための記憶手段を設け、
前記記憶手段に、前記測定電極に関する情報として、前記測定電極を使用し始めた時にこの測定電極の使用有効期限を、前記装置本体の書き込み機能を使用して記憶させ、
前記装置本体は、前記測定電極を使用するときに、前記測定電極の前記記憶手段に記憶された前記使用有効期限と、前記装置本体の時計とを比較し、前記使用有効期限が近づいている場合若しくは前記使用有効期限を過ぎている場合にその旨を表示するか、又は前記使用有効期限が過ぎている場合に前記測定電極の使用を停止する、
ことを特徴とする計測装置。
【請求項２】
装置本体と、この装置本体に対して着脱自在とされた測定電極とを備えた計測装置において、
前記測定電極内に、又は、この測定電極を前記装置本体に対して接続するためのケーブル或はコネクタ内に、測定電極に関する情報を記憶するための記憶手段を設け、
前記記憶手段に、前記測定電極に関する情報として、この測定電極の校正有効期限を、前記装置本体の書き込み機能を使用して記憶させ、
前記装置本体は、前記測定電極の校正をするときに、前記測定電極の前記記憶手段に記憶された前記校正有効期限と、校正日時とを比較して、前記校正有効期限が近づいている場合若しくは前記校正有効期限を過ぎている場合にその旨を表示する、
ことを特徴とする計測装置。
【請求項３】
装置本体と、この装置本体に対して着脱自在とされたｐＨ電極とを備えたｐＨ計において、
前記ｐＨ電極内に、又は、このｐＨ電極を前記装置本体に対して接続するためのケーブル或はコネクタ内に、ｐＨ電極に関する情報を記憶するための記憶手段を設け、
前記記憶手段に、前記ｐＨ電極に関する情報として、少なくともこのｐＨ電極の不斉電位及び感度を記憶させることを特徴とするｐＨ計。
【請求項４】
装置本体と、この装置本体に対して着脱自在とされたｐＨ電極とを備えたｐＨ計において、
前記ｐＨ電極内に、又は、このｐＨ電極を前記装置本体に対して接続するためのケーブル或はコネクタ内に、ｐＨ電極に関する情報を記憶するための記憶手段を設け、
前記記憶手段に、前記ｐＨ電極に関する情報として、前記ｐＨ電極の劣化を判断するための劣化判断情報である、このｐＨ電極の不斉電位の基準値及び感度の基準値を記憶させ、
前記装置本体は、前記ｐＨ電極の校正時に、ｐＨ標準液を使用して求めた不斉電位及び感度と、前記ｐＨ電極の前記記憶手段に記憶された前記劣化判断情報とを比較して、このｐＨ電極が劣化しているか否かを判断する、
ことを特徴とするｐＨ計。
【請求項５】
装置本体と、この装置本体に対して着脱自在とされた電気伝導率セルとを備えた電気伝導率計において、
前記測定電極内に、又は、この電気伝導率セルを前記装置本体に対して接続するためのケーブル或はコネクタ内に、電気伝導率セルに関する情報を記憶するための記憶手段を設け、
前記記憶手段に、前記電気伝導率セルに関する情報として、少なくともこの電気伝導率セルのセル定数を記憶させることを特徴とする電気伝導率計。
【請求項６】
装置本体と、この装置本体に対して着脱自在とされた抵抗式測温体電極とを備えた温度計において、
前記抵抗式測温体電極内に、又は、この抵抗式測温体電極を前記装置本体に対して接続するためのケーブル或はコネクタ内に、抵抗式測温体電極に関する情報を記憶するための記憶手段を設け、
前記記憶手段に、前記抵抗式測温体電極に関する情報として、少なくともこの抵抗式測温体電極のＢ定数又は公称抵抗値を記憶させることを特徴とする温度計。
【請求項７】
装置本体と、この装置本体に対して着脱自在とされたイオン電極とを備えたイオンメータにおいて、
前記イオン電極内に、又は、このイオン電極を前記装置本体に対して接続するためのケーブル或はコネクタ内に、イオン電極に関する情報を記憶するための記憶手段を設け、
前記記憶手段には、前記イオン電極に関する情報として、前記イオン電極の製造時にこの測定電極を識別するための識別情報を記憶させ、
前記装置本体は、測定時に、前記イオン電極の前記記憶手段に記憶された前記識別情報を読み込んで、測定値と共に測定されたイオン種を表示或は印字する、
ことを特徴とするイオンメータ。
【発明の詳細な説明】
【技術分野】
【０００１】
本発明は、装置本体に着脱自在とされた測定電極を備えたｐＨ計、イオンメータ、電気伝導率計などの計測装置に関するものであり、特に、測定電極が記憶手段（メモリー）を有し、このメモリーに電極の特性などに関する情報が入力されており、極めて利便性の良い計測装置に関するものである。
【背景技術】
【０００２】
例えば、装置本体に対し着脱自在とされた測定電極を備えたｐＨ計やイオンメータなどの計測装置においては、使用する前に標準液を用いて電極個々の特性を校正し、この校正データを基に測定値を計算補正して表示している。又、電気伝導率計における電気伝導率セルのように補正値が必要な電極は、電極に表示されている補正値を目視で読み取り、この補正値を装置本体に設定して使用することが要求される。
【０００３】
従って、上述のように、従来の計測装置では、電極を使用するときに校正されたデータ或は補正値は装置本体内のメモリーに記憶されているために、電極を他の電極に取り替えた場合には、この新たな電極のために再度標準液を用いて校正を行なったり、新たな補正値の設定を行なわなければならない。
【０００４】
計測装置によっては、幾つかの校正値を記憶していて選択して使用できるものもあるが、どのデータがどの電極のものかは使用する者が覚えていなければならない。つまり、装置本体が自動的に電極を識別することはできなかった。
【０００５】
又、補正値が必要な電極、例えば電気伝導率セルなどは、上述のように、セル定数を装置本体に設定しなければならないが、電気伝導率セルは用途によっていろいろな形状の電極があり、それらを取り替えて使用するときなど、その都度セル定数を設定しなければならない。従って、設定間違いや設定忘れなどにより正確な測定ができない場合があった。更に、測定結果を印字した時も測定結果だけが印字されるに過ぎず、どの電極を使用して得られた結果なのかを印字することはできなかった。
【発明の開示】
【発明が解決しようとする課題】
【０００６】
従って、本発明の目的は、電極を取り替える度に校正或は補正値の設定をする必要がなく、用途別の電極を自由に使い分けることのできるメモリー付き電極を備えた計測装置を提供することである。
【０００７】
本発明の他の目的は、電極の校正履歴、使用状態などの電極管理が可能なメモリー付き電極を備えた計測装置を提供することである。
【０００８】
本発明の他の目的は、設定違いや、設定忘れをなくし、電極の交換が容易なメモリー付き電極を備えた計測装置を提供することである。
【課題を解決するための手段】
【０００９】
上記目的は本発明に係るメモリー付き電極を備えた計測装置にて達成される。要約すれば、第１の本発明は、装置本体と、この装置本体に対して着脱自在とされた測定電極とを備えた計測装置において、前記測定電極内に、又は、この測定電極を前記装置本体に対して接続するためのケーブル或はコネクタ内に、測定電極に関する情報を記憶するための記憶手段を設け；前記記憶手段に、前記測定電極に関する情報として、前記測定電極を使用し始めた時にこの測定電極の使用有効期限を、前記装置本体の書き込み機能を使用して記憶させ；前記装置本体は、前記測定電極を使用するときに、前記測定電極の前記記憶手段に記憶された前記使用有効期限と、前記装置本体の時計とを比較し、前記使用有効期限が近づいている場合若しくは前記使用有効期限を過ぎている場合にその旨を表示するか、又は前記使用有効期限が過ぎている場合に前記測定電極の使用を停止することを特徴とする計測装置である。
【００１０】
第２の本発明によると、装置本体と、この装置本体に対して着脱自在とされた測定電極とを備えた計測装置において、前記測定電極内に、又は、この測定電極を前記装置本体に対して接続するためのケーブル或はコネクタ内に、測定電極に関する情報を記憶するための記憶手段を設け；前記記憶手段に、前記測定電極に関する情報として、この測定電極の校正有効期限を、前記装置本体の書き込み機能を使用して記憶させ；前記装置本体は、前記測定電極の校正をするときに、前記測定電極の前記記憶手段に記憶された前記校正有効期限と、校正日時とを比較して、前記校正有効期限が近づいている場合若しくは前記校正有効期限を過ぎている場合にその旨を表示することを特徴とする計測装置が提供される。
【００１１】
第３の本発明によると、装置本体と、この装置本体に対して着脱自在とされたｐＨ電極とを備えたｐＨ計において、前記ｐＨ電極内に、又は、このｐＨ電極を前記装置本体に対して接続するためのケーブル或はコネクタ内に、ｐＨ電極に関する情報を記憶するための記憶手段を設け、前記記憶手段に、前記ｐＨ電極に関する情報として、少なくともこのｐＨ電極の不斉電位及び感度を記憶させることを特徴とするｐＨ計が提供される。
【００１２】
第４の本発明によると、装置本体と、この装置本体に対して着脱自在とされたｐＨ電極とを備えたｐＨ計において、前記ｐＨ電極内に、又は、このｐＨ電極を前記装置本体に対して接続するためのケーブル或はコネクタ内に、ｐＨ電極に関する情報を記憶するための記憶手段を設け；前記記憶手段に、前記ｐＨ電極に関する情報として、前記ｐＨ電極の劣化を判断するための劣化判断情報である、このｐＨ電極の不斉電位の基準値及び感度の基準値を記憶させ；前記装置本体は、前記ｐＨ電極の校正時に、ｐＨ標準液を使用して求めた不斉電位及び感度と、前記ｐＨ電極の前記記憶手段に記憶された前記劣化判断情報とを比較して、このｐＨ電極が劣化しているか否かを判断することを特徴とするｐＨ計が提供される。
【００１３】
第５の本発明によると、装置本体と、この装置本体に対して着脱自在とされた電気伝導率セルとを備えた電気伝導率計において、前記測定電極内に、又は、この電気伝導率セルを前記装置本体に対して接続するためのケーブル或はコネクタ内に、電気伝導率セルに関する情報を記憶するための記憶手段を設け、前記記憶手段に、前記電気伝導率セルに関する情報として、少なくともこの電気伝導率セルのセル定数を記憶させることを特徴とする電気伝導率計が提供される。
【００１４】
第６の本発明によると、装置本体と、この装置本体に対して着脱自在とされた抵抗式測温体電極とを備えた温度計において、前記抵抗式測温体電極内に、又は、この抵抗式測温体電極を前記装置本体に対して接続するためのケーブル或はコネクタ内に、抵抗式測温体電極に関する情報を記憶するための記憶手段を設け、前記記憶手段に、前記抵抗式測温体電極に関する情報として、少なくともこの抵抗式測温体電極のＢ定数又は公称抵抗値を記憶させることを特徴とする温度計が提供される。
【００１５】
第７の本発明によると、装置本体と、この装置本体に対して着脱自在とされたイオン電極とを備えたイオンメータにおいて、前記イオン電極内に、又は、このイオン電極を前記装置本体に対して接続するためのケーブル或はコネクタ内に、イオン電極に関する情報を記憶するための記憶手段を設け；前記記憶手段には、前記イオン電極に関する情報として、前記イオン電極の製造時にこの測定電極を識別するための識別情報を記憶させ；前記装置本体は、測定時に、前記イオン電極の前記記憶手段に記憶された前記識別情報を読み込んで、測定値と共に測定されたイオン種を表示或は印字することを特徴とするイオンメータが提供される。
【発明の効果】
【００１６】
本発明によれば、
（１）電極を取り替える度に校正或は補正値の設定をする必要がなく、用途別の電極を自由に使い分けることができる。
（２）電極の校正履歴、使用状態などの電極管理が可能であり、且つ容易である。
（３）設定違いや、設定忘れをなくし、電極の交換が容易である。
といった効果を奏し得る。
【発明を実施するための最良の形態】
【００１７】
以下、本発明に係るメモリー付き電極を備えた計測装置を図面に則して更に詳しく説明する。以下の実施例では、主としてｐＨ電極を備えたｐＨ計に関して説明するが、本発明は、その他にも、イオン電極、電気伝導率セル、抵抗式測温体電極、溶存酸素電極などを備えた種々の計測装置に適用し得るものである。
【００１８】
実施例１
図１に、本発明の計測装置の一実施例であるｐＨ計１が示される。このようなｐＨ計１は、先端部にガラス感応膜のようなｐＨ感応部１１を備えた全体が細長形状とされるｐＨ測定電極１０と、このｐＨ測定電極１０からの信号を処理し、表示する装置本体２０とを備え、測定電極１０はケーブル１２を介してコネクタ１３にて装置本体２０に着脱自在に接続されている。
【００１９】
本発明によれば、図２に示すように、測定電極１０の、ｐＨ感応部１１とは反対側の端部に隣接してプリント基板１４を配置し、そこに電極が必要とするデータを記憶させるための記憶手段１５を取付ける構造とされる。又、別法として、図３に示すように、記憶手段１５は、測定電極１０を装置本体２０に接続するためのケーブル１２の先端に取付けられたコネクタ１３内のプリント基板１４に設けることもできる。
【００２０】
電極の記憶手段１５としては、本実施例では、ＥＥＰＲＯＭ（Electrically Erasable Programmable Read-Only Memory:電気的消去書き込み可能な読み出し専用メモリー）を用いたが、更に、記憶手段１５としては、フラッシュメモリー、電池バックアップ付きＲＡＭ、ＥＰＲＯＭ、更にはワンタイムＲＯＭなども使用し得る。
【００２１】
上述したように、測定電極１０を備えたｐＨ計のような計測装置１においては、使用する前に標準液を用いて電極の特性を校正し、この校正結果を基に測定値を計算補正して表示することが必要である。
【００２２】
従って、例えば電極１０内に設けられたメモリー１５内には、電極の情報（データ）として、電極の製造時において型式名、製造番号が入力され、電極の検査時に、校正データが書き込まれる。更に、メモリー１５内に記憶する情報としては、電極の使用時間データ或は電極の劣化データなどを含むことができる。
【００２３】
本発明によれば、装置本体２０内には、前記測定電極１０のメモリー１５に記憶された情報を読み込み、記憶する手段を有すると共に、又、前記測定電極１０のメモリー１５に新たな校正データなどを書き込むための手段を有している。
【００２４】
次に、図４を参照して、本発明に従った上記構成の測定装置の作動態様について説明する。
【００２５】
ｐＨ計にて測定を行なうために測定電極１０のコネクタ１３を装置本体２０に接続し、電源をＯＮとして測定モードをスタートさせる。装置本体２０は、装置本体２０に設けられた読み込み／書き込み手段により、先ず、接続された電極１０のメモリー１５から、この電極１０の型式名、製造番号などを読み込み（ステップ１）、この電極（Ｘ）が以前に使用していた電極（Ｍ）であるか否かを判断する（ステップ２）。この電極（Ｘ）が以前に使用していた電極（Ｍ）であると判断した場合には前回のデータをそのまま使用する（ステップ３）。もし、この電極（Ｘ）が以前使用していた電極（Ｍ）でないと判断した場合には、この電極（Ｘ）のメモリー１５から校正データを読み出し、装置本体２０のメモリーに記憶する（ステップ４）。
【００２６】
装置本体２０は、読み込まれた校正データ及び測定電極１０から得られた電位に基づきｐＨ値を演算補正し、測定ｐＨ値として表示する（ステップ５）。又、プリンタを備えた計測装置では、必要に応じて印字をも行なうことができる。
【００２７】
上述のように、本発明によれば、装置本体２０は、接続された電極１０が個々に記憶しているデータを使用して、電極の型式名、製造番号などを識別し、且つ装置本体２０内のデータの書き換えなどを行なう。
【００２８】
次に、必要に応じて行なわれるｐＨ測定電極の標準液を用いた校正手順について、図５を参照して説明する。
【００２９】
電源をＯＮとし校正モードをスタートさせる。装置本体２０に接続された電極１０を標準液に浸漬する（ステップ１）。ｐＨ標準液としては、しゅう酸塩ｐＨ標準液（ｐＨ１．６８／ａｔ２５℃）、フタル酸ｐＨ標準液（ｐＨ４．０１／ａｔ２５℃）、中性りん酸塩ｐＨ標準液（ｐＨ６．８６／ａｔ２５℃）、ほう酸塩ｐＨ標準液（ｐＨ９．１８／ａｔ２５℃）などがある。
【００３０】
次いで、測定される電位が安定したと判断されると（ステップ２）、使用した標準液の種別を識別し、その時の標準液のｐＨ値を算出する（ステップ３）。即ち、先ず、標準液に電極を入れ発生した電位を読み取り温度補償の計算をし、その値からどの標準液であるかを識別する。
【００３１】
次に、標準液には温度特性があり、温度によりｐＨ値が違うので、電極１０とは別に設けられた温度センサーにより測定された温度に基づき標準液のｐＨ値を算出する。次いで、測定された電位と算出されたｐＨ値を装置本体２０のメモリーに記憶し、（ステップ４）、更に、装置本体２０はその書き込み手段により、校正データを測定電極１０のメモリー１５に書き込む（ステップ４、５）。
【００３２】
このような測定電極１０の校正は、上述のように、電極１０を装置本体２０に接続して行なうこともできるが、専用の校正器を用意して実施することもできる。この場合には、装置本体２０は、測定値を表示するための単なる表示器として機能するだけでよい。
【００３３】
実施例２
本実施例では、本発明を電気伝導率計とそのセル（電極）に応用した場合について説明する。
【００３４】
本実施例においても、実施例１の場合と同様に、セル自体に、或は装置本体へのコネクタ内に記憶手段、例えばＥＥＰＲＯＭを設ける。このメモリー内には、製造時に型式名と製造番号を、検査時にセル定数が書き込まれる。
【００３５】
従って、このセルを装置本体に接続すると、装置本体はセルよりセル定数を読み込み、装置本体のメモリーに記憶し、このデータを使い測定値を演算、補正し、測定電気伝導率として表示し、必要に応じて印字を行なう。
【００３６】
上述のように、本実施例でも実施例１と同様に、装置本体は、セルの状態を監視し、セルの交換時などにセル定数の変更などを行なう。電気伝導率セルを標準液を用いて校正を行なう場合は、自動でセル定数を計算し、この値をセルに記憶させることができる。
【００３７】
このように、本発明では、セル定数を自動設定することができるので、設定忘れや間違いがなくなる。
【００３８】
実施例３
有効期限のある電極を有する計測装置について説明する。例えば、ｐＨ電極は、取引証明に使用する場合のように計量法による検定が必要な場合があり、この場合には電極についての有効期間は１年である。このような計測装置においては、電極を使用し始めた時に有効期限を装置本体の書き込み機能によりこの電極のメモリーに書き込んでおく。装置本体は、電極を使用する度にこの電極のメモリーに記憶された有効期限を読み出し、装置本体に内蔵した時計と比較し、期限が近づいていることを表示器に表示し、使用者に知らせることができる。もし、期限が過ぎている場合には、使用者に警告を発するか、或は使用を停止するようにすることもできる。
【００３９】
又、必要に応じては、使用者自身で、標準液による校正有効期限を設定することもできる。つまり、使用者は、装置本体の書き込み機能を使用して、電極を校正したときにその標準液校正の日時を測定電極に書き込み、電極の校正日時と有効期間とを比較し、注意や警告などのメッセージを随時表示させることができる。
【００４０】
又、電極の使用時間をメモリーに記憶させることも可能である。つまり、計測器の電源が入っている状態で電極が計測器に接続されている時間を積算することによって使用時間とする。本発明によれば電極の個々の判別が可能であるので、電極を取り替えてもそれぞれの積算時間を処理判断することができる。
【００４１】
更には、電極のメモリーには、電極の劣化判断情報を記憶させることもできる。つまり、電極にはそれぞれ理論的な発生電位がある。個々の電極によってそれぞれ違いがあるので校正が必要になるが、基本的に理論からかけ離れた電位を発生することはない。そこで、理論電位から例えば１０％下回ったら劣化と判断することができる。
【００４２】
例えば、ｐＨ計では２点校正を行ない不斉電位と感度を算出するが、不斉電位に対しては０ｍＶが基準で±３０ｍＶ以上あった場合には異常、感度は５９．１６ｍＶが基準で１０％異常下回った場合に異常（劣化）と判断することができる。
【００４３】
このように、本発明の計測装置によれば、電極が個々にその有効期限或は校正日時、更には、電極使用時間、電極劣化判断情報を記憶しているので、電極の管理が極めて有効に達成される。
【００４４】
上記説明は、ｐＨ計に関して説明したが、本発明はイオンメータ、電気伝導率計、溶存酸素計などにも同様に適用し、同様の効果を達成し得るものである。
【００４５】
実施例４
イオン性選択電極を使用している計測装置の場合には、イオン標準液により校正を行なった場合はその結果を電極のメモリーに書き込み、更に、校正日時も校正データと共に書き込んでおく。イオン電極の場合は、種々のイオン電極があるので、読み出した電極の型式名から測定されたイオンの種類をも測定結果と共に表示或は印字することができる。従って、何種類かのイオン電極を、装置本体の特別の切換え操作を必要とすることなく使用することができる。勿論、校正期限などをも、電極に記憶したデータを基に上記実施例と同様に管理することができる。
【００４６】
実施例５
サーミスタ式温度計のような計測装置では、温度測定の精度又は互換性を上げるために測定電極であるサーミスタに補正抵抗を入れたり、或は同じ特性の素子を選択して使用することが行なわれている。従って、本発明に従って、サーミスタ電極に、又はケーブル若しくはコネクタ内に記憶手段を配置し、サーミスタの特性データ、例えばＢ定数、公称抵抗値などを書き込んでおくことにより、接続時にこのデータを読み出し、測定抵抗値より演算することにより精度の高い測定を行なうことができる。
【００４７】
本実施例は、サーミスタ電極の代わりに白金抵抗体など、その他の抵抗式測温体電極を使用した計測装置に対しても同様に適用して同じ効果を達成し得る。
【図面の簡単な説明】
【００４８】
【図１】本発明の計測装置の全体構成を示す斜視図である。
【図２】計測装置の測定電極の部分破断図である。
【図３】計測装置のコネクタ部分の断面図である。
【図４】測定時の作動を説明するフロー図である。
【図５】校正時の作動を説明するフロー図である。
【符号の説明】
【００４９】
１                計測装置
１０              測定電極
１２              ケーブル
１３              コネクタ
１４              プリント基板
１５              記憶手段（メモリー）
２０              装置本体
【図１】
2006349679.tif 000003
【図２】
2006349679.tif 000004
【図３】
2006349679.tif 000005
【図４】
2006349679.tif 000006
【図５】
2006349679.tif 000007
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
装置本体と、この装置本体に対して着脱自在とされた測定電極とを備えた計測装置において、
前記測定電極内に、又は、この測定電極を前記装置本体に対して接続するためのケーブル或はコネクタ内に、測定電極に関する情報を記憶するための記憶手段を設け、
前記装置本体に、前記測定電極の前記記憶手段に記憶された情報を読み込む機能を設けると共に、前記記憶手段に情報を書き込む機能を設け、
前記記憶手段に、前記測定電極に関する情報として、この測定電極の使用有効期限、校正有効期限、使用時間及び電極劣化判断情報のうち少なくとも１つを、前記装置本体の書き込み機能を使用して記憶させる、
ことを特徴とする計測装置。
【請求項２】
前記記憶手段に、前記使用有効期限が、前記装置本体の書き込み機能を使用して記憶される場合において、
前記装置本体は、前記測定電極を使用するときに、前記記憶手段に記憶された前記使用有効期限と、前記装置本体の時計とを比較し、前記使用有効期限が近づいている場合若しくは前記使用有効期限を過ぎている場合にその旨を表示するか、又は前記使用有効期限が過ぎている場合に前記測定電極の使用を停止する、
ことを特徴とする請求項１に記載の計測装置。
【請求項３】
前記記憶手段に、前記校正有効期限が、前記装置本体の書き込み機能を使用して記憶される場合において、前記記憶手段には更に、前記測定電極に関する情報として、前記測定電極の校正をしたときに校正日時が、前記装置本体の書き込み機能を使用して記憶され、
前記装置本体は、前記測定電極の前記記憶手段に記憶された前記校正有効期限と、前記校正日時とを比較して、前記校正有効期限が近づいている場合若しくは前記校正有効期限を過ぎている場合にその旨を表示する、
ことを特徴とする請求項１に記載の計測装置。
【請求項４】
前記記憶手段に、前記使用時間が、前記装置本体の書き込み機能を使用して記憶される場合において、
前記装置本体は、該装置本体に電源が入っている状態で前記測定電極が該装置本体に接続されている時間を積算することによって前記使用時間とすることを特徴とする請求項１に記載の計測装置。
【請求項５】
前記記憶手段に、前記電極劣化判断情報が、前記装置本体の書き込み機能を使用して記憶され、前記測定電極が、ｐＨ電極又はイオン電極である場合において、
前記電極劣化判断情報は、前記測定電極の基準の不斉電位又は感度であり、
前記装置本体は、前記測定電極の校正時に算出された不斉電位が前記記憶手段に記憶された前記基準の不斉電位よりも所定値以上あった場合、又は前記測定電極の校正時に算出された感度が前記記憶手段に記憶された前記基準の感度よりも所定値以上下回った場合に、その測定電極が劣化していると判断することを特徴とする請求項１に記載の計測装置。
【手続補正２】
【補正対象書類名】明細書
【補正対象項目名】０００９
【補正方法】変更
【補正の内容】
【０００９】
上記目的は本発明に係るメモリー付き電極を備えた計測装置にて達成される。要約すれば、本発明は、装置本体と、この装置本体に対して着脱自在とされた測定電極とを備えた計測装置において、前記測定電極内に、又は、この測定電極を前記装置本体に対して接続するためのケーブル或はコネクタ内に、測定電極に関する情報を記憶するための記憶手段を設け、前記装置本体に、前記測定電極の前記記憶手段に記憶された情報を読み込む機能を設けると共に、前記記憶手段に情報を書き込む機能を設け、前記記憶手段に、前記測定電極に関する情報として、この測定電極の使用有効期限、校正有効期限、使用時間及び電極劣化判断情報のうち少なくとも１つを、前記装置本体の書き込み機能を使用して記憶させることを特徴とする計測装置である。
【手続補正３】
【補正対象書類名】明細書
【補正対象項目名】００１０
【補正方法】変更
【補正の内容】
【００１０】
本発明の一実施態様によると、前記記憶手段に、前記使用有効期限が、前記装置本体の書き込み機能を使用して記憶される場合において、前記装置本体は、前記測定電極を使用するときに、前記記憶手段に記憶された前記使用有効期限と、前記装置本体の時計とを比較し、前記使用有効期限が近づいている場合若しくは前記使用有効期限を過ぎている場合にその旨を表示するか、又は前記使用有効期限が過ぎている場合に前記測定電極の使用を停止する。
【手続補正４】
【補正対象書類名】明細書
【補正対象項目名】００１１
【補正方法】変更
【補正の内容】
【００１１】
本発明の他の実施態様によると、前記記憶手段に、前記校正有効期限が、前記装置本体の書き込み機能を使用して記憶される場合において、前記記憶手段には更に、前記測定電極に関する情報として、前記測定電極の校正をしたときに校正日時が、前記装置本体の書き込み機能を使用して記憶され、前記装置本体は、前記測定電極の前記記憶手段に記憶された前記校正有効期限と、前記校正日時とを比較して、前記校正有効期限が近づいている場合若しくは前記校正有効期限を過ぎている場合にその旨を表示する。
【手続補正５】
【補正対象書類名】明細書
【補正対象項目名】００１２
【補正方法】変更
【補正の内容】
【００１２】
本発明の他の実施態様によると、前記記憶手段に、前記使用時間が、前記装置本体の書き込み機能を使用して記憶される場合において、前記装置本体は、該装置本体に電源が入っている状態で前記測定電極が該装置本体に接続されている時間を積算することによって前記使用時間とする。
【手続補正６】
【補正対象書類名】明細書
【補正対象項目名】００１３
【補正方法】変更
【補正の内容】
【００１３】
本発明の他の実施態様によると、前記記憶手段に、前記電極劣化判断情報が、前記装置本体の書き込み機能を使用して記憶され、前記測定電極が、ｐＨ電極又はイオン電極である場合において、前記電極劣化判断情報は、前記測定電極の基準の不斉電位又は感度であり、前記装置本体は、前記測定電極の校正時に算出された不斉電位が前記記憶手段に記憶された前記基準の不斉電位よりも所定値以上あった場合、又は前記測定電極の校正時に算出された感度が前記記憶手段に記憶された前記基準の感度よりも所定値以上下回った場合に、その測定電極が劣化していると判断する。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００４２
【補正方法】変更
【補正の内容】
【００４２】
例えば、ｐＨ計では２点校正を行ない不斉電位と感度を算出するが、不斉電位に対しては０ｍＶが基準で±３０ｍＶ以上あった場合には異常、感度は５９．１６ｍＶが基準で１０％以上下回った場合に異常（劣化）と判断することができる。